(57)【特許請求の範囲】
【請求項１】
遊技場に配列された遊技機に接続されて該遊技機の予め定めた稼働データを保存するとともに表示する遊技機用のデータ表示装置に保存された遊技機稼働データの読出し保存及び再現の方法であり、
前記データ表示装置をそれぞれが複数のデータ表示装置を含むグループに分け、該グループごとに該グループに属するデータ表示装置に有線接続された無線中継機を設置し、
前記グループのそれぞれに属するデータ表示装置に保存された前記稼働データを前記グループごとに設置された前記無線中継機を介して無線通信で読み出し、保存し、保存した該稼働データを該稼働データの発生源である遊技機に対応して設けられたデータ表示装置へ該データ表示装置が所属するグループの前記無線中継機を介して書き込むための携帯端末機タイプのデータ読み書き機を予め準備し、
前記グループのそれぞれに属するデータ表示装置は、保存した前記稼働データを該データ表示装置が属するグループについて設置された前記無線中継機へ送信するデータ表示装置とし、
前記グループのそれぞれに属する無線中継機は、前記データ表示装置から送信されてくる稼働データを保存し、前記データ読み書き機からの求めに応じて該データ読み書き機へ無線通信で送信でき、該データ読み書き機に保存され、該データ読み書き機から無線通信で送信されてくる稼働データを読み込み、該稼働データの発生源である遊技機に対応して設けられたデータ表示装置へ送信できる無線中継機とし、
前記データ表示装置に保存されている前記稼働データを前記データ読み書き機で前記無線中継機を介して無線通信で読み出し、保存し、該データ読み書き機に保存された該稼働データを該データ読み書き機から前記無線中継機を介して該稼働データの発生源である遊技機に対応して設けられたデータ表示装置に書き込み、保存させ、表示可能とすることを特徴とする遊技機稼働データの読出し保存及び再現の方法。
【請求項２】
前記グループのそれぞれに属するデータ表示装置は前記稼働データの保存及び表示以外の動作について動作設定することができ、該動作設定に従って動作するデータ表示装置とし、前記データ読み書き機は、該データ表示装置の動作設定を前記無線中継機を介して無線通信で読み出し、保存し、保存した該動作設定を該動作設定で動作すべきデータ表示装置へ前記無線中継機を介して書き込み可能のデータ読み書き機とし、
前記無線中継機は、前記データ読み書き機からの求めに応じてデータ表示装置に保存された動作設定を該データ読み書き機へ無線通信で送信でき、前記データ読み書き機に保存され、該データ読み書き機から無線通信で送信されてくる動作設定を読み込んで、該動作設定で動作すべきデータ表示装置に書き込むことができる無線中継機とする請求項１記載の遊技機稼働データの読出し保存及び再現の方法。
【請求項３】
前記データ読み書き機は、前記データ表示装置のグループに属するデータ表示装置に共通の共通情報を入力する入力部を有するとともに該入力部で入力した共通情報を前記無線中継機へ無線送信できるデータ読み書き機とし、
前記無線中継機は、前記データ読み書き機の入力部で入力された前記共通情報を該データ読み書き機から無線通信で受信し、前記データ表示装置のそれぞれに該共通情報の表示のために送信できる無線中継機とする請求項１又は２記載の遊技機稼働データの読出し保存及び再現の方法。
【請求項４】
前記データ読み書き機は前記無線中継機から取得した遊技機稼働データを表示する表示部を有している請求項１、２又は３記載の遊技機稼働データの読出し保存及び再現の方法。
【請求項５】
前記データ読み書き機及び前記無線中継機間の無線通信は無線ＬＡＮ規格から選ばれた通信規格に基づき行う請求項１から４のいずれか１項に記載の遊技機稼働データの読出し保存及び再現の方法。
【請求項６】
前記無線中継機を該無線中継機と無線通信可能に設定された携帯電話機と無線通信可能な中継機とし、該携帯電話機で該無線中継機を介して前記データ表示装置に保存されている遊技機稼働データのうち予め定められたデータを知得可能である請求項１から５のいずれか１項に記載の遊技機稼働データの読出し保存及び再現の方法。
【請求項７】
前記携帯電話機と前記無線中継機との通信は無線ＬＡＮ規格から選ばれた通信規格に基づき行う請求項６記載の読出し保存及び再現の方法。
【請求項８】
遊技場に配列された遊技機に接続されて該遊技機の予め定めた稼働データをメモリに保存するとともに表示部に表示させる遊技機用のデータ表示装置を、それぞれが複数個含む１又は２以上のグループと、
前記グループごとに設置されて該グループに属する前記データ表示装置に有線接続された無線中継機と、
前記グループのそれぞれに属するデータ表示装置に保存された前記稼働データを該グループについて設置された前記無線中継機を介して無線通信で読み出し、自身のメモリに保存し、保存した該稼働データを該稼働データの発生源である遊技機に対応して設けられたデータ表示装置へ該データ表示装置が所属するグループの前記無線中継機を介して書き込むための携帯端末機タイプのデータ読み書き機とを含み、
前記グループのそれぞれに属するデータ表示装置は、前記遊技機から入力されてくる予め定めた動作状態を示す信号に基づいて前記予め定めた稼働データを自身の前記メモリに保存するとともに前記表示部に表示させ、さらに該稼働データを前記無線中継機へ送信でき、該無線中継機から稼働データが送信されてくると該稼働データを読み込み、自身のメモリに保存させるとともに前記表示部に表示可能とするデータ表示装置であり、
前記グループのそれぞれに属する無線中継機は、前記データ表示装置から送信されてくる稼働データを自身のメモリに保存し、前記データ読み書き機からの求めに応じて該データ読み書き機へ無線通信で送信でき、該データ読み書き機に保存され、該データ読み書き機から無線通信で送信されてくる稼働データを読み込み、該稼働データの発生源である遊技機に対応して設けられたデータ表示装置へ送信できる無線中継機であり、
前記データ読み書き機は、前記無線中継機へ該無線中継機のメモリに保存された前記稼働データの送信を要求でき、該要求に応じて該無線中継機から無線送信されてくる前記稼働データを自身のメモリに保存し、保存した該稼働データを該稼働データの発生源である遊技機に対応して設けられるデータ表示装置へ該データ表示装置が属するグループの無線中継機を介して送信できるデータ読み書き機であることを特徴とする遊技機稼働データの読出し保存及び再現のシステム。
【請求項９】
前記グループのそれぞれに属するデータ表示装置は前記稼働データの保存及び表示以外の動作について動作設定することができ、該動作設定に従って動作するデータ表示装置であり、
前記データ読み書き機は、該データ表示装置の動作設定を前記無線中継機を介して無線通信で読み出し、自身のメモリに保存し、保存した該動作設定を該動作設定で動作すべきデータ表示装置へ前記無線中継機を介して書き込み可能のデータ読み書き機であり、
前記無線中継機は、前記データ読み書き機からの求めに応じて自身のメモリに保存された動作設定を該データ読み書き機へ無線通信で送信でき、前記データ読み書き機に保存され、該データ読み書き機から無線通信で送信されてくる動作設定を読み込んで、該動作設定で動作すべきデータ表示装置に書き込むことができる無線中継機である請求項８記載の遊技機稼働データの読出し保存及び再現のシステム。
【請求項１０】
前記データ読み書き機は、前記データ表示装置のグループに属するデータ表示装置に共通の共通情報を入力する入力部を有するとともに該入力部で入力した共通情報を前記無線中継機へ無線送信できるデータ読み書き機であり、
前記無線中継機は、前記データ読み書き機の入力部で入力された前記共通情報を該データ読み書き機から無線通信で受信し、前記データ表示装置のそれぞれに該共通情報の表示のために送信できる無線中継機である請求項８又は９記載の遊技機稼働データの読出し保存及び再現のシステム。
【請求項１１】
前記データ読み書き機は前記無線中継機から取得した遊技機稼働データを表示する表示部を有している請求項８、９又は１０記載の遊技機稼働データの読出し保存及び再現のシステム。
【請求項１２】
前記データ読み書き機及び前記無線中継機間の無線通信は無線ＬＡＮ規格から選ばれた通信規格に基づき行われる請求項８から１１のいずれか１項に記載の遊技機稼働データの読出し保存及び再現のシステム。
【請求項１３】
前記無線中継機は該無線中継機と無線通信可能に設定された携帯電話機と無線通信可能の中継機であり、該携帯電話機で該無線中継機を介して前記データ表示装置に保存されている遊技機稼働データのうち予め定められたデータを知得可能である請求項８から１２のいずれか１項に記載の遊技機稼働データの読出し保存及び再現のシステム。
【請求項１４】
前記携帯電話機と前記無線中継機との通信は無線ＬＡＮ規格から選ばれた通信規格に基づき行われる請求項１３記載の読出し保存及び再現のシステム。
【発明の詳細な説明】
【技術分野】
【０００１】
本発明はパチンコ機、パチスロ機等の遊技機に接続されて該遊技機の予め定めた稼働データを保存するとともに表示する遊技機用のデータ表示装置に保存され、表示された遊技機稼働データの読出し保存再現の方法及びシステムに関係している。
【背景技術】
【０００２】
ホール等と称されている遊技場に配列されたパチンコ機、パチスロ機等の遊技機のそれぞれには、該遊技機の予め定めた稼働データを保存するとともに表示するデータ表示装置が接続されているのが一般的である。
【０００３】
今日、遊技場に設置されているパチンコ機、パチスロ機等の遊技機は、遊技者の投入操作により遊技機内を落下或いは下降する小球のような遊技媒体を用いて遊技するものが一般的であり、また、遊技する過程で、該遊技媒体が予め定めた媒体受け入れ箇所に入り込む等より、予め定めたゲーム開始条件が満たされると、ゲーム（例えばスロットマシン様の表示部によるスロットマシン様のゲーム）が開始され、該ゲームにおいて「当たり」が発生するとボーナスとしてその当たりの種類に応じた数の遊技媒体が遊技者に与えられる、といタイプの遊技機が一般的である。
【０００４】
また、この種の遊技機では、「当たり」発生前の「スタート回数」、さらに言えば、前回の「当たり」（「大当たり」と「小当たり」とがあるときは、特に「大当たり」）発生により「スタート回数」が「０」にリセットされた後の「スタート回数」が予め定めた回数を超えてきたり、予め定めた範囲に入ってくるなどすると、「当たり」発生の確率が増すように設定されているものが多い。
【０００５】
遊技者としては、当たりの確率がより高いと思われる遊技機で遊技したく思うであろうことなどから、前記のように遊技機のそれぞれにデータ表示装置を接続して、それに該遊技機の予め定めた稼働データ（当たり回数、スタート回数など）を保存させるとともに表示させるのである。
【０００６】
このように遊技機にデータ表示装置を接続して、それに遊技機の稼働データを保存させ、表示させることは、例えば、特許第４４４０６７１号公報等に記載されている。特許第４４４０６７１号公報には、遊技場の所定の営業が終了してデータ表示装置がＯＦＦされても、次の営業日にデータ表示装置をＯＮすると、前回表示されていた、当たり発生の確率を予測する材料となるスタート回数が継続表示されるデータ表示装置も記載されている。
【先行技術文献】
【特許文献】
【０００７】
【特許文献１】特許第４４４０６７１号公報
【発明の概要】
【発明が解決しようとする課題】
【０００８】
ところで、遊技場においては、経営等の観点から一部の遊技機（例えば、複数の遊技機を配列した所謂「島」単位の遊技機）を別の島へ配置変えしたり、故障したデータ表示装置（しかし、未だ稼働データ等を保存しているもの）を交換したり、データ表示装置を新しいものへ交換したりすることがある。そのような場合、いままで遊技機に接続されていたデータ表示装置が遊技機から分離され、それに保存されていた稼働データが失われしまい、配置変えされた遊技機や、データ表示装置が取り外された遊技機に固有の稼働データをその遊技機に接続された以前と同じ或いは交換或いは修理後のデータ表示装置に保存させ、表示させることができなかった。
【０００９】
そこで本発明は、遊技場に配列された遊技機に接続されて該遊技機の予め定めた稼働データを保存するとともに表示する遊技機用のデータ表示装置に保存された遊技機稼働データを、遊技機の配置変え、故障したデータ表示装置（しかし、未だ稼働データを保存しているもの）の交換や修理、データ表示装置の新しいものへの交換等に際して、該データ表示装置から読み出し、保存しておき、再び該稼働データ源である遊技機に接続されたデータ表示装置に保存させ、表示させることができる方法及びシステムを提供することを課題とする。
【課題を解決するための手段】
【００１０】
本発明は一つには、
遊技場に配列された遊技機に接続されて該遊技機の予め定めた稼働データ（例えば、当たり発生回数、ゲーム開始（スタート）回数等）を保存するとともに表示する遊技機用のデータ表示装置に保存された遊技機稼働データの読出し保存及び再現の方法であり、
前記データ表示装置をそれぞれが複数のデータ表示装置を含むグループに分け、該グループごとに該グループに属するデータ表示装置に有線接続された無線中継機を設置し、
前記グループのそれぞれに属するデータ表示装置に保存された前記稼働データを前記グループごとに設置された前記無線中継機を介して無線通信で読み出し、保存し、保存した該稼働データを該稼働データの発生源である遊技機に対応して設けられたデータ表示装置へ該データ表示装置が所属するグループの前記無線中継機を介して書き込むための携帯端末機タイプのデータ読み書き機を予め準備し、
前記グループのそれぞれに属するデータ表示装置は、保存した前記稼働データを該データ表示装置が属するグループについて設置された前記無線中継機へ送信するデータ表示装置とし、
前記グループのそれぞれに属する無線中継機は、前記データ表示装置から送信されてくる稼働データを保存し、前記データ読み書き機からの求めに応じて該データ読み書き機へ無線通信で送信でき、該データ読み書き機に保存され、該データ読み書き機から無線通信で送信されてくる稼働データを読み込み、該稼働データの発生源である遊技機に対応して設けられたデータ表示装置へ送信できる無線中継機とし、
前記データ表示装置に保存されている前記稼働データを前記データ読み書き機で前記無線中継機を介して無線通信で読み出し、保存し、該データ読み書き機に保存された該稼働データを該データ読み書き機から前記無線中継機を介して該稼働データの発生源である遊技機に対応して設けられたデータ表示装置に書き込み、保存させ、表示可能とする遊技機稼働データの読出し保存及び再現の方法を提供する。
【００１１】
また本発明は、上記本発明方法を実施できるシステムとして、
遊技場に配列された遊技機に接続されて該遊技機の予め定めた稼働データ（例えば、当たり発生回数、ゲーム開始（スタート）回数等）をメモリに保存するとともに表示部に表示させる遊技機用のデータ表示装置を、それぞれが複数個含む１又は２以上のグループと、
前記グループごとに設置され、該グループに属する前記データ表示装置に有線接続された無線中継機と、
前記グループのそれぞれに属するデータ表示装置に保存された前記稼働データを該グループについて設置された前記無線中継機を介して無線通信で読み出し、自身のメモリに保存し、保存した該稼働データを該稼働データの発生源である遊技機に対応して設けられたデータ表示装置へ該データ表示装置が所属するグループの前記無線中継機を介して書き込むための携帯端末機タイプのデータ読み書き機とを含み、
前記グループのそれぞれに属するデータ表示装置は、前記遊技機から入力されてくる予め定めた動作状態（例えば、当たり発生、ゲーム開始等）を示す信号に基づいて前記予め定めた稼働データを自身の前記メモリに保存するとともに前記表示部に表示させ、さらに該稼働データを前記無線中継機へ送信でき、該無線中継機から稼働データが送信されてくると該データを読み込み、自身のメモリに保存させるとともに前記表示部に表示可能とするデータ表示装置であり、
前記グループのそれぞれに属する無線中継機は、前記データ表示装置から送信されてくる稼働データを自身のメモリに保存し、前記データ読み書き機からの求めに応じて該データ読み書き機へ無線通信で送信でき、該データ読み書き機に保存され、該データ読み書き機から無線通信で送信されてくる稼働データを読み込み、該稼働データの発生源である遊技機に対応して設けられたデータ表示装置へ送信できる無線中継機であり、
前記データ読み書き機は、前記無線中継機へ該無線中継機のメモリに保存された前記稼働データの送信を要求でき、該要求に応じて該無線中継機から無線送信されてくる前記稼働データを自身のメモリに保存し、保存した該稼働データを該稼働データの発生源である遊技機に対応して設けられるデータ表示装置へ該データ表示装置が属するグループの無線中継機を介して送信できるデータ読み書き機である遊技機稼働データの読出し保存及び再現のシステムを提供する。
【００１２】
本発明に係る遊技機稼働データの読出し保存及び再現の方法及びシステムによると、グループ化され、該グループについて設置された前記無線中継機に接続されているデータ表示装置は、自身が保存している予め定めた遊技機稼働データ（例えば、当たり回数、スタート回数、確変など）を無線中継機へ送信し、無線中継機はこれを保存する。
【００１３】
いずれかの前記グループに属するデータ表示装置が接続された遊技機の配置変え、該グループに属する故障したデータ表示装置（しかし、未だ稼働データを保存しているもの）の交換や修理、該グループに属するデータ表示装置の新しいものへの入替え等に際しては、該グループに属するデータ表示装置のうち遊技機配置変えに係わるデータ表示装置、交換または入替え対象のデータ表示装置、場合によってはそのグループに属する全データ表示装置について、該データ表示装置に保存されている前記稼働データを前記データ読み書き機で前記無線中継機を介して無線通信で読み出し、保存し、該データ読み書き機に保存された該稼働データを該データ読み書き機から該データ源である遊技機に対応して設けられたデータ表示装置に該データ表示装置が属するグループについて設置された前記無線中継機を介して書き込み、保存させ、表示可能とすることができる。
このように、データ表示装置に保存されていた遊技機稼働データを失わないで再現させることができる。
【００１４】
本発明に係る方法及びシステムにおいては、
前記各データ表示装置グループに属するデータ表示装置は前記稼働データの保存及び表示以外の動作を設定することができ、該動作設定に従って動作するデータ表示装置とし、  前記データ読み書き機は、該データ表示装置の動作設定を前記無線中継機を介して無線通信で読み出し、保存し、保存した該動作設定を該動作設定で動作すべきデータ表示装置へ前記無線中継機を介して書き込み可能のデータ読み書き機とし、
前記無線中継機は、前記データ読み書き機からの求めに応じてデータ表示装置に保存された動作設定を該データ読み書き機へ無線通信で送信でき、前記データ読み書き機に保存され、該データ読み書き機から無線通信で送信されてくる動作設定を読み込んで、該動作設定で動作すべきデータ表示装置に書き込むことができる無線中継機とすることができる。
【００１５】
ここで、「稼働データの保存及び表示以外の動作設定」とは、例えば、データ表示装置が左右にランプを備えていて、「当たり」が発生すると、左右のランプが点灯するものであるとき、該左右のランプが左右交互に点灯する設定や、左右同時に点滅する設定などを挙げることができる。
【００１６】
また本発明に係る方法及びシステムにおいては、
前記データ読み書き機は、前記データ表示装置グループに属するデータ表示装置に共通の情報（例えば、「このデータ表示装置は新台です」というような文字情報）を入力する入力部を有するとともに該入力部で入力した共通情報を前記無線中継機へ無線送信できるデータ読み書き機とし、
前記無線中継機は、前記データ読み書き機の入力部で入力された前記共通情報を該データ読み書き機から無線通信で受信し、前記データ表示装置のそれぞれでに該共通情報表示のために送信できる無線中継機とすることができる。
【００１７】
いずれにしても、前記データ読み書き機は前記無線中継機から取得した遊技機稼働データを表示する表示部を有していてもよい。
このような表示部を有していることで、遊技場員が該無線中継機に接続されているデータ表示装置に保存されている稼働データ情報を、いちいちデータ表示装置を見て回らなくても容易に把握できる。
【００１８】
前記データ読み書き機及び前記無線中継機間の無線通信としては、今日広く採用されている、一般にＷｉ−Ｆｉ（Ｗｉ−Ｆｉ  Ａｌｌｉａｎｃｅによる認証を示すブランド名）と称されている通信規格ＩＥＥＥ８０２．１１シリーズ（ＩＥＥＥ８０２．１１ａ／ＩＥＥＥ８０２．１１ｂ）や、Ｂｌｕｅｔｏｏｔｈ規格等の無線ＬＡＮ規格から選ばれた通信規格に基づき行う場合を例示できる。
【００１９】
また、遊技者が遊技機選択にあたり判断材料となる稼働データを、いちいちデータ表示装置を見て回らなくても容易に把握できるように、自身の携帯電話機（スマートフォン等）で知得できるようにしてもよい。
【００２０】
すなわち、前記無線中継機を自身と無線通信可能に設定された携帯電話機と無線通信可能の中継機とし、該携帯電話機で該無線中継機を介して前記データ表示装置に保存されている遊技機稼働データのうち予め定められたデータを知得可能としてもよい。
【００２１】
このときも、該携帯電話機と前記無線中継機との通信は、Ｗｉ−Ｆｉや、Ｂｌｕｅｔｏｏｔｈ規格等の無線ＬＡＮ規格から選ばれた通信規格に基づき行う場合を例示できる。
【発明の効果】
【００２２】
以上説明したように本発明によると、遊技場に配列された遊技機に接続されて該遊技機の予め定めた稼働データを保存するとともに表示する遊技機用のデータ表示装置に保存された遊技機稼働データを、遊技機の配置変え、故障したデータ表示装置（しかし、未だデータを保存しているもの）の交換や修理、データ表示装置の新しいものへの交換等に際して、該データ表示装置から読み出し、保存しておき、再び該稼働データ源である遊技機に接続されたデータ表示装置に保存させ、表示させることができる方法及びシステムを提供することができる。
【図面の簡単な説明】
【００２３】
【図１】遊技機稼働データの読出し保存及び再現のシステム例を概略的に示す図である。
【図２】図１のシステムにおけるデータ表示装置例の正面図である。
【図３】図１のシステムにおけるデータ読み書き機例の斜視図である。
【図４】図１に示すシステムの回路をブロック図で概略的に示す図である。
【発明を実施するための形態】
【００２４】
以下、本発明に係る遊技機稼働データの読出し保存及び再現の方法を実施できるシステム例及び該システムによる遊技機稼働データの読出し保存及び再現について説明する。
【００２５】
図１は遊技機稼働データの読出し保存及び再現のシステム例を概略的に示す図である。  図１は遊技場における複数の島Ｌのそれぞれの片側の面に１列に配列された複数の遊技機Ｇを１グループとする複数のグループに関して構築されたシステム１００を示している。
【００２６】
図１には遊技場に複数の島Ｌが設けられ、各島Ｌの両側面のそれぞれに複数のゲームＧが１列に配列されるとともに各遊技機Ｇに対してデータ表示装置１が接続され、このように各島Ｌの各側面に１列に配列された複数のデータ表示装置１で一つのデータ装置グループｇが構成され、各データ装置グループｇについて島Ｌ端部に無線中継機３設置され、該グループに属するデータ表示装置１が中継機３に有線接続されている様子が示されている。また、無線中継機３と無線通信可能のデータ読み書き機２が遊技場員Ｍ等により携帯されている様子も示されている。
【００２７】
ここでは、これら複数のデータ表示装置グループｇと、各グループｇに対して設置された無線中継機３と、データ読み書き機２とで遊技機稼働データの読出し保存及び再現のシステム１００が構築されている。
【００２８】
遊技機Ｇは、それとは限定されないが本例では、遊技者の投入操作により遊技機内を落下する小球を用いて遊技するパチンコ機であり、遊技過程で、該小球が予め定めた受け入れ箇所に入り込む等より、予め定めたゲーム開始条件が満たされると、ゲーム（スロットマシン様の表示部によるスロットマシン様のゲーム）が開始され（スタートし）、該ゲームにおいて「当たり」が発生するとボーナスとしてその当たりの種類に応じた数の小球が遊技者に与えられる、といタイプのものである。
【００２９】
また、この遊技機Ｇでは、「当たり」発生前の「スタート回数」、さらに言えば、前回の「当たり」（「大当たり」と「小当たり」とがあるときは、特に「大当たり」  発生により「スタート回数」が「０」にリセットされた後の「スタート回数」が予め定めた回数を超えてきたり、予め定めた範囲に入ってくるなどすると、「当たり」発生の確率が増す（所謂「確変」する）ように設定されているものである。
【００３０】
図２に示すように、各データ表示装置１は、一般には遊技機の番号を付してあるときには「ナンバランプ」と称されたり、何らかのトラブル発生時に遊技場員を呼び出す「呼出しボタン」が付いているときには「呼出しランプ」と称されたりすることがあるもので、本例では、正面中央に表示部１１を有しており、それには文字等を表示する表示部（以下、「文字表示部」ということがある。）１１１、「当たり」発生回数を表示する当たり回数表示部１１２、「スタート」回数を表示するスタート回数表示部１１３及び所謂「確変」を表示する確変表示部１１４等が含まれている。データ表示装置１は、さらに、表示部１１の左右の各部分にランプを内蔵した光表示部１２１、１２２を有している。図示を省略しているが呼出しボタンも有している。  
【００３１】
また、データ表示装置１は、図４に示すように、
中央演算処理装置ＣＰＵ１、
前記の表示部１１、
遊技機Ｇからの予め定めた動作状態を示す信号（本例では、当たり発生を示す信号、ゲーム開始（ゲームスタート）を示す信号等）を受信する受信部１３、
メモリ（記憶装置）１４、
無線中継機３や、同じグループに属する他のデータ表示装置１と通信ラインＬＮで通信するための通信入出力部１５１及び通信入出力部１５１と中央演算処理装置ＣＰＵ１の仲立ちをする通信信号変換部１５２、並びに
電力が要求される部分へ電力供給するための電源入力部１６１及び電源回路１６２    を含んでいる。
【００３２】
図３に示すように、データ読み書き機２は本例では携帯端末機に相当するもので、遊技場員などの携帯者が手で触れることができる位置に、
無線中継機３に対して、それに保存された遊技機稼働データの送信を要求し、或いは逆に稼働データの受信を要求する等のためのデータ送受信要求ボタン２１、
無線中継機３に対して、それに保存されているデータ表示装置１の動作設定の送信を要求したり、後述するように動作設定の受信を要求したりする動作設定送受信要求ボタン２２、
データ表示装置１の表示部１１における文字表示部１１１に各データ表示部１に共通の情報（例えば、このデータ表示装置は新台です）のような情報）を表示させるための該共通情報の入力部２３及び
各種情報を表示するための表示部２４等を備えている。
【００３３】
また、データ読み書き機２は、図４に示すように、
中央演算処理装置ＣＰＵ２、
前記のデータ送受信要求ボタン２１及び動作設定送受信要求ボタン２２、
前記の共通情報入力部２３及び表示部２４、
メモリ（記憶装置）２５、
無線中継機３と無線でデータ等を送受信する無線モジュール２６、並びに
電力が要求される部分へ電力供給するための電源入力部２７１及び電源回路２７２      を含んでいる。
電源入力部２７１は本例では交換可能或いは充電可能の電池である。
無線モジュール２６は、それとは限定されないが、本例ではＷｉ−Ｆｉにより無線でデータを送受信するものである。Ｂｌｕｅｔｏｏｔｈ規格等による通信でもよい。
【００３４】
無線中継機３は、図４に示すように、
中央演算処理装置ＣＰＵ３、
各種情報を表示する表示部３１、
メモリ（記憶装置）３２、
各データ表示装置１と通信ラインＬＮで通信するための通信入出力部３３１及び通信入出力部３３１と中央演算処理装置ＣＰＵ３の仲立ちをする通信信号変換部３３２、
データ読み書き機２とＷｉ−Ｆｉでデータ等を送受信する無線モジュール３４、
電力が要求される部分へ電力供給するための電源入力部３５１及び電源回路３５２、並びに入力部３６を含んでいる。
【００３５】
入力部３６は、
通信設定、
データ表示装置１との回線のオン、オフ、                                          セキュリティ、パスワード、ＩＰアドレス
等の設定を行うものである。
表示部３１をタッチパネル方式のものにして入力部を兼ねさせてもよい。
【００３６】
このシステム１００によると、各データ表示装置グループｇに属するデータ表示装置１は、島Ｌの複数の遊技機Ｇのそれぞれに対して一つずつ設けられている。
遊技機Ｇでの遊技により発生する動作状態のうち予め定めたもの（本例では当たり発生、ゲーム開始（スタート）、確変発生等）を示す信号がその遊技機Ｇに対して設けられたデータ表示装置１の受信部１３へ送信される。
【００３７】
各データ表示装置１の中央演算処理装置ＣＰＵ１は、受信部１３で受信される信号に基づいて該遊技機での稼働データ（当たり発生回数、ゲームスタート回数、確変等）を更新しつつメモリ１４に保存する一方、これら遊技機稼働データを通信信号変換部１５２及び通信入出力部１５１から通信ラインＬＮで無線中継機３へ送信する。
【００３８】
無線中継機３の中央演算処理装置ＣＰＵ３は、通信ラインＬＮで送信されてくる各データ表示装置１の遊技機稼働データを自身の通信入出力部３３１及び通信信号変換部３３２を介して読み込み、メモリ３２に保存する。
【００３９】
ここで、何らかの事情により、例えば、いずれかの島Ｌの遊技機Ｇの一部又は全部を他の島へ移動させなければならなくなったり、いずれかの島Ｌのいずれかのデータ表示装置１が一部故障して交換しなければならなくなったり、いずれかの島Ｌの一部又は全部のデータ表示装置１が新型のものに入替えられようとすると、このシステム１００では、そのような遊技機の移動、データ表示装置の交換や入替えのために遊技機Ｇから分離されようとするデータ表示装置１に保存されている稼働データ等を無線中継機３を介してデータ読み書き機２により読み出し、保存して置くことができる。
【００４０】
さらに説明すると、このシステム１００では、データ読み書き機２を無線中継機３と通信可能な状態に設定して、データ読み書き機２上のデータ送受信要求ボタン２１を操作することで、自身と中継機３の無線モジュール２６、３４を介して中継機３に対し稼働データ送信を要求できる。
【００４１】
そこで、データ読み書き機２からそのデータ送受信要求ボタン２１の操作により中継機３に対し稼働データ送信を要求すると、無線中継機３の中央演算処理装置ＣＰＵ３はメモリ３２に保存している稼働データを読み出し、無線モジュール３４からデータ読み書き機２の無線モジュール２６へ送信開始する。
【００４２】
データ読み書き機２では中央演算処理装置ＣＰＵ２が、このように送信されてくる稼働データをメモリ２５に保存する。
【００４３】
また、システム１００では、必要に応じ、前記の遊技機の移動、データ表示装置の交換や入替えのために遊技機Ｇから分離されようとするデータ表示装置１に保存されているデータ表示装置の動作設定（本例では表示装置１の左右の光表示部１２１、１２２を「当たり」発生時に同時に点滅させるか、左右交互に点灯するかといったような動作設定）を中継機３を介してデータ読み書き機２により読み出し、保存して置くこともできる。
【００４４】
このために、各データ表示装置１は、メモリ１４に保存されている自身の動作設定についても中継機３へ送信し、中継機３はこれをメモリ３２に保存する。
【００４５】
この動作設定の読み出しにあたっては、データ読み出し機２における動作設定送信要求のボタン２２を操作すればよい。すると、中継機３において中央演算処理装置ＣＰＵ３がメモリ３２に保存されている動作設定を読み出し、無線モジュール３４からデータ読み書き機２の無線モジュール２６へ送信開始する。
【００４６】
データ読み書き機２では中央演算処理装置ＣＰＵ２が、このように送信されてくる動作設定をメモリ２５に保存する。
前記の遊技機の移動、データ表示装置の交換や入替え等はこのようにデータ読み書き機２に稼働データ等を読み込み、保存したあとで行えばよい。
【００４７】
遊技機の移動、データ表示装置の交換や入替え等が終わったあとで、データ読み書き機２から、該データ読み書き機に前述のように保存された稼働データ等の源であった遊技機Ｇに対して設けられた以前と同じデータ表示装置、故障のために交換や修理されたデータ表示装置或いは入替えられたデータ表示装置等のデータ表示装置１に、そのデータ表示装置１が属しているグループｇに対して設けられている無線中継機３を介して稼働データ等を注入することができる。
【００４８】
ここで若干補足説明すると、遊技機Ｇを移動する場合、その遊技機Ｇの移動先はもとの島Ｌとはかぎらず、別の島Ｌの場合もある。そのため、要するに、遊技機Ｇの移動先においてその遊技機Ｇに対し設けられたデータ表示装置１に、そのデータ表示装置１が属しているグループｇに対して設けられている無線中継機３を介して稼働データ等を注入するのである。
【００４９】
さらに説明すると、稼働データを保存したデータ読み書き機２をデータ受信を要求しようとする無線中継機３と無線モジュール２６、３４による通信が可能となる状態に設定し、該データ読み書き機２上のデータ送受信要求ボタン２１を操作すると、中継機３の中央演算処理装置ＣＰＵ３がデータ読み書き機２から送信されてくる稼働データをメモリ３２に一旦保存し、その後、メモリ３２に保存された稼働データを通信ラインＬＮを介して該稼働データ源の遊技機Ｇに対して設けられたデータ表示装置１へ送信する。
【００５０】
稼働データが送信されてきたデータ表示装置１では、中央演算処理装置ＣＰＵ１が中継機３から送信されてきた稼働データをメモリ１４に保存するとともに表示部１１に表示可能とする。
【００５１】
また、データ読み書き機２がデータ表示装置の動作設定を保存しているときは、該データ読み書き機２の動作設定送受信要求ボタン２２を操作すると、中継機３の中央演算処理装置ＣＰＵ３がデータ読み書き機２から送信されてくる動作設定情報をメモリ３２に一旦保存し、その後、メモリ３２に保存された動作設定を通信ラインＬＮを介して、その動作設定で動作すべきデータ表示装置１へ送信する。
【００５２】
中継機３から動作設定情報が送信されてきたデータ表示装置１では、中央演算処理装置ＣＰＵ１が該動作設定をメモリ１４に保存するとともにその動作設定でデータ表示装置が動作可能とする。
【００５３】
また、システム１００では、必要に応じ、通信ラインＬＮで接続された島Ｌのデータ表示装置１のそれぞれの表示部１１の文字表示部１１１に共通の情報（例えば、「このデータ表示装置は新台です」といったような情報）を表示させることもできる。
【００５４】
この点につきさらに説明すると、データ読み書き機２の共通情報の入力部２３において共通情報を入力するとともに該データ読み書き機２を共通情報を表示させようとするデータ表示装置グループｇの無線中継機３と通信可能の状態として、該データ読み書き機２のデータ送受信要求ボタン２１を操作することで、該共通情報を無線中継機３を介して各データ表示装置１の表示部１１１に表示させることができる。
【００５５】
以上説明したように、上記システム１００によると、遊技機Ｇの配置変え、故障したデータ表示装置１の交換や修理、データ表示装置１の新しいものへの入替え等に際して、現在遊技機に接続されていて該遊技機の予め定めた稼働データ（例えば、当たり回数、スタート回数、確変など）等を保存しているデータ表示装置から該遊技機稼働データ等を前記データ読み書き機２で無線中継機３を介して無線通信で読み出し、自身のメモリに保存しておき、再び該データ源である遊技機に接続されたデータ表示装置に無線中継機３を介して該データ読み書き機２から無線通信で書き込み、保存させ、表示させ、或いは動作させることがきる。
このように、データ表示装置に保存されていた遊技機稼働データ等を失わないで再現させることができる。
【００５６】
また、システム１００によると、遊技場員がデータ読み書き機２を用いて無線中継機３を介してデータ表示装置１及びそれが設けられている遊技機Ｇに関する稼働データを取得して、遊技機Ｇの稼働状態を容易に把握することもできる利点がある。
【００５７】
また、遊技場、データ表示装置のメーカー等がインターネット上の自身のホーム頁等で、遊技者や遊技場員等の携帯電話機（例えばスマートフォン）４にダウンロードして該携帯電話機を無線中継機３と無線通信可能に設定できるソフトウエアを提供することで、希望する遊技者は自身の携帯電話機にそのソフトウエアをダウンロードして、データ表示装置１及びそれが設けられている遊技機Ｇに関する稼働データのうち予め定められたデータ（例えば、当たり発生回数、スタート回数等）を知得して、遊技機選択材料等に利用できる。
【００５８】
また、遊技場員が自身の携帯電話機にそのソフトウエアをダウンロードして、データ表示装置１及びそれが設けられている遊技機Ｇに関する稼働データのうち予め定められたデータ（例えば、当たり発生回数、スタート回数等）を知得して、自身の携帯電話機で遊技機Ｇの稼働状態を容易に把握できる。
【産業上の利用可能性】
【００５９】
本発明はパチンコ機等の遊技機に接続して用いられるデータ表示装置に保存される遊技機の稼働データ等を遊技機の移動等に際して読出し保存し、再度データ表示装置に書き込むことができる方法及びシステムを提供することに利用できる。
【符号の説明】
【００６０】
Ｌ  島
Ｇ  遊技機
１００  遊技機稼働データの読出し保存再現システム
ｇ  データ表示装置グループ
１  データ表示装置
ＣＰＵ１  中央演算処理装置
１１  表示部
１１１  文字表示部
１１２  当たり回数表示部
１１３  スタート回数表示部
１１４  確変表示部
１２１、１２２  光表示部
１３  受信部
１４  メモリ（記憶装置）
１５１  通信入出力部
１５２  通信信号変換部
１６１  電源入力部
１６２  電源回路
ＬＮ  通信ライン
２  データ読み書き機
ＣＰＵ２  中央演算処理装置
２１  稼働データ等送受信要求ボタン
２２  動作設定送受信要求ボタン
２３  共通情報入力部
２４  表示部
２５  メモリ
２６  無線モジュール
２７１  電源入力部（電池）
２７２  電源回路
３  無線中継機
ＣＰＵ３  中央演算処理装置
３１  表示部
３２  メモリ（記憶装置）
３３１  通信入出力部
３３２  通信信号変換部
３４  無線モジュール
３５１  電源入力部（電池）
３５２  電源回路
【図１】
0005259793.tif 000002
【図２】
0005259793.tif 000003
【図３】
0005259793.tif 000004
【図４】
0005259793.tif 000005